【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
動力工具システム（１）であって、
工具（３０、３１）を駆動するように適合又は構成されたモータ（Ｍ）又はソレノイドと、少なくとも一つのパスコードを格納するように適合又は構成された第１メモリ（１６）とを有する手持式動力工具（１０）と、
前記動力工具に着脱可能に取り付けられ、当該動力工具に電流を供給するように適合又は構成されたバッテリパック（４０）であって、少なくとも一つのパスコードを格納するように適合又は構成された第２メモリ（４６）を有するバッテリパック（４０）と、
前記動力工具及び／又は前記バッテリパックに設けられた第１電子作動式ロック（２０）であって、前記動力工具の動作を選択的に禁止又は妨害するように適合又は構成された第１電子作動式ロック（２０）と、
前記動力工具及び／又は前記バッテリパックに設けられた第１コントローラ（１２、４２）であって、前記バッテリパックが前記動力工具に取り付けられたときに前記第１メモリ及び前記第２メモリからパスコードを読み出し、前記第１メモリ及び前記第２メモリからのパスコードを直接的に比較し、前記パスコードが一致しない又はその他の所定の態様で対応しないときに、前記第１電子作動式ロックによって前記動力工具の動作を禁止又は妨害するように適合又は構成された第１コントローラ（１２、４２）と、
を備える動力工具システム。
【請求項２】
前記第１メモリ（１６）及び前記第２メモリ（４６）は、複数のパスコードを格納するように適合又は構成され、
前記第１コントローラ（１２、４２）は、前記第１メモリに格納された前記複数のパスコードと前記第２メモリに格納された前記複数のパスコードとを直接的に比較し、前記第１メモリに格納された少なくとも一つのパスコードと前記第２メモリに格納された少なくとも一つのパスコードとの間で、一致するものが存在しないときに、前記第１電子作動式ロックによって前記動力工具の動作を禁止又は妨害するように適合又は構成されている、
請求項１に記載の動力工具システム。
【請求項３】
前記複数のパスコードが、主（一次）パスコードと少なくとも一つの副（二次）パスコードとを含み、
前記第１コントローラ（１２、４２）は、前記少なくとも一つの副パスコードが、前記第１メモリ（１６）及び／又は前記第２メモリ（４６）において格納、削除及び／又は書き換えられるのを可能にするために、前記主パスコードの入力を要求するように適合又は構成されている、請求項２に記載の動力工具システム。
【請求項４】
前記動力工具（１０）及び／又は前記バッテリパック（４０）に設けられた第３コントローラ（１２、４２）であって、所定条件が満たされたときに、前記第１電子作動式ロック（２０）によって前記動力工具及び／又は前記バッテリパックの動作を禁止又は妨害するように適合又は構成された第３コントローラ（１２、４２）をさらに備え、
前記所定条件が、ユーザによる所定操作の実行、前記動力工具（１０）の最後の起動から所定時間が経過したとき、前記動力工具が所定回数まで起動されたとき、及び、前記バッテリパック（４０）が所定回数まで充電されたとき、のうちの少なくとも一つである、
請求項１から３のいずれか一項に記載の動力工具システム。
【請求項５】
前記第１電子作動式ロック（２０）は遮断スイッチを有し、
前記遮断スイッチは、オフされたときに前記バッテリパック（４０）から前記モータ（Ｍ）又はソレノイドへの電流の供給を遮断するように適合又は構成されている、請求項１から４のいずれか一項に記載の動力工具システム。
【請求項６】
前記バッテリパック（４０）に着脱可能に取り付けられるように適合又は構成された充電器（１２０）であって、ユーザによって入力されたパスコードを受け取るように適合又は構成されたユーザインタフェース（１４２）を有する充電器（１２０）と、
前記バッテリパックに少なくとも部分的に設けられた第４コントローラ（４２）と、
をさらに備え、
前記第４コントローラは、前記バッテリパックが前記充電器に取り付けられたときに前記ユーザインタフェース（１４２）に結合され、前記ユーザインタフェースを介して入力された第１パスコード及び第２パスコードを受け取り、前記第１パスコードが、前記第２メモリ（４６）に格納された現在のパスコードと一致するか又は所定の態様で対応するときに、前記第２メモリに格納された前記現在のパスコードを前記第２パスコードに書き換えるように適合又は構成されている、
請求項１から５のいずれか一項に記載の動力工具システム。
【請求項７】
前記バッテリパック（４０）に着脱可能に取り付けられるように適合又は構成された充電器（１２０）と、
前記充電器に着脱可能に取り付けられるように適合又は構成されたアダプタ（７０）であって、ユーザによって入力されたパスコードを受け取るように適合又は構成されたユーザインタフェース（７８）を有するアダプタ（７０）と、
前記バッテリパックに少なくとも部分的に設けられた第４コントローラ（４２）であって、前記バッテリパック及び前記アダプタが前記充電器に取り付けられたときに前記ユーザインタフェース（７８）に結合され、前記ユーザインタフェースを介して入力された第１パスコード及び第２パスコードを受け取り、前記第１パスコードが前記バッテリパック（４０）の前記第２メモリ（４６）に格納された現在のパスコードと一致するか又は所定の態様で対応するときに、前記第２メモリに格納された前記現在のパスコードを前記第２パスコードに書き換えるように適合又は構成された第４コントローラ（４２）と、
をさらに備える、請求項１から５のいずれか一項に記載の動力工具システム。
【請求項８】
前記動力工具（１０）に着脱可能に取り付けられるように適合又は構成されたアダプタ（７０）であって、ユーザによって入力されたパスコードを受け取るように適合又は構成されたユーザインタフェース（７８）を有するアダプタ（７０）と、
前記バッテリパックに少なくとも部分的に設けられた第４コントローラ（４２）であって、前記バッテリパック及び前記アダプタが前記動力工具（１０）に取り付けられたときに前記ユーザインタフェース（７８）に結合され、前記ユーザインタフェースを介して入力された第１パスコード及び第２パスコードを受け取り、前記第１パスコードが前記バッテリパック（４０）の前記第２メモリ（４６）に格納された現在のパスコードと一致するか又は所定の態様で対応するときに、前記第２メモリに格納された前記現在のパスコードを前記第２パスコードに書き換えるように適合又は構成されている第４コントローラ（４２）と、
をさらに備える、請求項１から５のいずれか一項に記載の動力工具システム。
【請求項９】
前記動力工具（１０）に着脱可能に取り付けられるように適合又は構成されたアダプタ（７０）であって、ユーザによって入力されたパスコードを受け取るように適合又は構成されたユーザインタフェース（７８）を備えるアダプタ（７０）と、
前記バッテリパックに少なくとも部分的に設けられた第５コントローラ（４２）であって、前記バッテリパック及び前記アダプタが前記動力工具に取り付けられたときに前記ユーザインタフェースに結合され、前記ユーザインタフェースを介して入力された第３パスコード及び第４パスコードを受け取って格納し、前記第３パスコードが前記動力工具の前記第１メモリ（１６）に格納された現在のパスコードと一致するか又は所定の態様で対応するときに、前記第１メモリに格納された前記現在のパスコードを前記第４パスコードに書き換えるように適合又は構成された第５コントローラ（４２）と、
をさらに備える、請求項１から５のいずれか一項に記載の動力工具システム。
【請求項１０】
前記第５コントローラ（４２）はさらに、前記バッテリパック（４０）及び前記アダプタ（７０）が前記動力工具（１０）に取り付けられている間に、前記ユーザインタフェース（７８）を介して入力された第１パスコードを受け取り、前記入力された第１パスコードが前記バッテリパックの前記第２メモリ（４６）に格納された前記パスコードと一致する場合にのみ、前記第３パスコード及び前記第４パスコードを受け取って格納する動作を実行するように適合又は構成されている、請求項９に記載の動力工具システム。
【請求項１１】
前記アダプタ（７０）は、前記動力工具（１０）のみと物理的に係合可能であるように構成されている、請求項８から１０のいずれか一項に記載の動力工具システム。
【請求項１２】
前記バッテリパック（４０）に着脱可能に取り付けられるように適合又は構成されたアダプタ（７０）であって、ユーザによって入力されたパスコードを受け取るように適合又は構成されたユーザインタフェース（７８）を備えるアダプタ（７０）と、
前記バッテリパックに少なくとも部分的に設けられた第４コントローラ（４２）であって、前記アダプタが前記バッテリパックに取り付けられたときに前記ユーザインタフェース（７８）に結合され、前記ユーザインタフェースを介して入力された第１パスコード及び第２パスコードを受け取り、前記第１パスコードが前記バッテリパックの前記第２メモリ（４６）に格納された現在のパスコードと一致するか又は所定の態様で対応するときに、前記第２メモリに格納された前記現在のパスコードを前記第２パスコードに書き換えるように適合又は構成された第４コントローラ（４２）と、
をさらに備える、請求項１から５のいずれか一項に記載の動力工具システム。
【請求項１３】
前記アダプタ（７０）の前記ユーザインタフェース（７８）は無線送受信器を含む、請求項７から１２のいずれか一項に記載の動力工具システム。
【請求項１４】
前記無線送受信器は、スマートフォンその他の外部装置（１００）と通信するように適合又は構成されている、請求項１３に記載の動力工具システム。
【請求項１５】
前記アダプタ（７０）の前記ユーザインタフェース（７８）は、データ手入力デバイスを含む、請求項７から１４のいずれか一項に記載の動力工具システム。
【請求項１６】
前記手動データ入力デバイスは、キーボード、プッシュボタン及び／又はタッチスクリーンその他のディスプレイを含む、請求項１５に記載の動力工具システム。
【請求項１７】
前記バッテリパック（４０）に着脱可能に取り付けられ、当該バッテリパックを充電するように適合又は構成された充電器（１２０）であって、少なくとも一つのパスコードを格納するように適合又は構成された第３メモリ（１２６）を有する充電器（１２０）と、
前記充電器及び／又は前記バッテリパックに設けられた第２電子作動式ロック（１３８）であって、前記充電器及び／又は前記バッテリパックの動作を選択的に禁止又は妨害するように適合又は構成された第２電子作動式ロック（１３８）と、
前記バッテリパック及び／又は前記充電器に設けられた第２コントローラ（４２、１２２）であって、前記バッテリパックが前記充電器に取り付けられたときに前記第２メモリ（４６）及び前記第３メモリ（１２６）から前記パスコードを読み出し、前記第２メモリ及び前記第３メモリの前記パスコードが一致しない又はその他の所定の態様で対応しないときに、前記第２電子作動式ロックによって前記充電器及び／又は前記バッテリパックの動作を禁止又は妨害するように適合又は構成された第２コントローラ（４２、１２２）と、
をさらに備える請求項１から５のいずれか一項に記載の動力工具システム。
【請求項１８】
前記第２メモリ（４６）及び前記第３メモリ（１２６）は、複数のパスコードを格納するように適合又は構成されており、
前記第２コントローラ（４２、１２２）は、前記第２メモリに格納された前記複数のパスコードを前記第３メモリに格納された前記複数のパスコードと直接的に比較し、前記第２メモリに格納された少なくとも一つのパスコードと前記第３メモリに格納された少なくとも一つのパスコードとの間で、一致するものが存在しないときに、前記第２電子作動式ロックによって前記充電器及び／又は前記バッテリパックの動作を禁止又は妨害するように適合又は構成されている、請求項１７に記載の動力工具システム。
【請求項１９】
前記複数のパスコードは、主（一次）パスコード及び少なくとも一つの副（二次）パスコードを含み、
前記第２コントローラ（４２、１２２）は、前記少なくとも一つの副パスコードが、前記第２メモリ（４６）及び／又は前記第３メモリ（１２６）において、格納、削除及び／又は書き換えられるのを可能にするために、前記主パスコードの入力を要求するように適合又は構成されている、請求項１８に記載の動力工具システム。
【請求項２０】
前記第２電子作動式ロック（１３８）は、遮断スイッチを有し、
前記遮断スイッチは、オフされたときに前記充電器（１２０）から前記バッテリパック（４０）への電流の供給を遮断するように適合又は構成されている、請求項１７から１９のいずれか一項に記載の動力工具システム。
【請求項２１】
前記充電器（１２０）は、、ユーザによって入力されたパスコードを受け取るように適合又は構成されたユーザインタフェース（１４２）をさらに有し、
動力工具システムは、前記バッテリパックに少なくとも部分的に設けられた第６コントローラ（４２）であって、前記バッテリパックが前記充電器に取り付けられたときに前記ユーザインタフェース（１４２）及び前記充電器の前記第３メモリ（１２６）にそれぞれ結合され、前記バッテリパックが前記充電器に取り付けられている間に、前記ユーザインタフェースを介して入力された第５パスコード及び第６パスコードを受け取って格納し、前記第５パスコードが前記充電器の前記第３メモリに格納された現在のパスコードと一致するか又は所定の態様で対応するときに、前記第３メモリに格納された前記現在のパスコードを前記第６パスコードに書き換えるように適合又は構成された第６コントローラ（４２）をさらに備える、
請求項１７から２０のいずれか一項に記載の動力工具システム。
【請求項２２】
前記第６コントローラ（４２）はさらに、前記バッテリパック（４０）が前記充電器（１２０）に取り付けられている間に前記ユーザインタフェース（１４２）を介して入力された第１パスコードを受け取り、前記入力された第１パスコードが、前記バッテリパック（４０）の前記第２メモリ（４６）に格納された前記パスコードと一致するか又は所定の態様で対応する場合にのみ、前記第５パスコード及び前記第６パスコードを受け取って格納する動作を実行するように適合又は構成されている、請求項２１に記載の動力工具システム。
【請求項２３】
前記充電器に着脱可能に取り付けられるように適合又は構成されたアダプタ（７０）であって、ユーザによって入力されたパスコードを受け取るように適合又は構成されたユーザインタフェース（７８）を有するアダプタ（７０）と、
前記バッテリパックに少なくとも部分的に設けられた第６コントローラ（４２）であって、前記バッテリパック及び前記アダプタが前記充電器に取り付けられると、前記ユーザインタフェース（７８）及び前記充電器の前記第３メモリ（１２６）にそれぞれ結合され、前記バッテリパック及び前記アダプタが前記充電器に取り付けられている間に、前記ユーザインタフェースを介して入力された第５パスコード及び第６パスコードを受け取って格納し、前記第５パスコードが前記充電器の前記第３メモリに格納された現在のパスコードと一致するか又は所定の態様で対応するときに、前記第３メモリに格納された前記現在のパスコードを前記第６コードに書き換えるように適合又は構成された第６コントローラ（４２）と、
をさらに備える、請求項１７から２０のいずれか一項に記載の動力工具システム。
【請求項２４】
前記第６コントローラ（４２）はさらに、前記バッテリパック（４０）及び前記アダプタ（７０）が前記充電器（１２０）に取り付けられている間に、前記ユーザインタフェース（７８）を介して入力された第１パスコードを受け取り、前記入力された第１パスコードが前記バッテリパックの前記第２メモリ（４６）に格納された前記パスコードと一致するか又は所定の態様で対応する場合にのみ、前記第５パスコード及び前記第６パスコードを受け取って格納する動作を実行するように適合又は構成されている、請求項２３に記載の動力工具システム。
【請求項２５】
請求項１から２４のいずれか一項に記載の動力工具システム（１）と使用されるアダプタ（７０）であって、
前記バッテリパック（４０）と前記動力工具（１０）との少なくとも一つに着脱可能に接続する手段と、
コントローラ（７３）と、
前記コントローラと通信する少なくとも一つのメモリ又は記憶装置と、
前記動力工具及び／又は前記バッテリパックに位置するコントローラ（１２、４２）と電気的に通信するように構成された少なくとも一つの通信ポート（７４）と、
前記コントローラと通信するユーザインタフェース（７８）と、
を備え、
前記ユーザインタフェースを介してユーザによって入力されたパスコードを受け取り、前記動力工具及び／又は前記バッテリパックに位置するコントローラ（４２）に前記パスコードを通信するように適合又は構成されているアダプタ（７０）。
【請求項２６】
動力工具システム（１）を動作させる方法であって、
バッテリパック（４０）が動力工具（１０）に取り付けられている間に、前記バッテリパックの第１メモリ（４６）からパスコードを読み出すステップと、
前記バッテリパックが動力工具に取り付けられている間、前記動力工具の第２メモリ（１６）からパスコードを読み出すステップと、
前記第１メモリ及び前記第２メモリからの前記パスコードを直接的に比較するステップと、
前記パスコードが一致しない又はその他の所定の態様で対応しないときに、前記動力工具及び／又は前記バッテリパックに位置する第１電子作動式ロック（２０）によって前記動力工具の動作を禁止又は妨害するステップと、
を含む方法。